(57)【要約】    【課題】  本考案は、板状の天板本体の木口面を被覆するエッジ部材と、それを用いて、視力にハンディキャップのある者が使用する場合にも、天板と床面とを誤認することがなく、しかもデザイン性に優れた天板付き家具を提供することを課題とする。    【解決手段】  天板本体１０の木口面に貼着するエッジ部材２０を、天板本体１０の上面と同系統の色彩の本体部２１と、前記天板本体１０の上面側に設けられて該天板本体１０の上面とは異なる色彩のコントラスト部２２とで構成する。【選択図】    図４
0003110139.tif 000002
【実用新案登録請求の範囲】
【請求項１】
板状の天板本体の木口面を被覆する帯状のエッジ部材であって、
少なくとも一方の側端面が天板本体の色彩に対してコントラストのある色彩とされていると共に、該側端面を除く部分が前記天板本体と同系統又は天板本体とのコントラストが抑えられた色彩とされていることを特徴とするエッジ部材。
【請求項２】
請求項１に記載のエッジ部材において、
両方の側端面がコントラストのある色彩とされていることを特徴とするエッジ部材。
【請求項３】
請求項１又は請求項２に記載のエッジ部材が天板本体の木口面に取り付けられてなる天板付き家具であって、
前記エッジ部材が、天板本体の色彩に対してコントラストのある色彩とされた側端面を天板本体の上面と同じ側に向けた状態で該天板本体の木口面に取り付けられていることを特徴とする天板付き家具。
【考案の詳細な説明】
【技術分野】
【０００１】
本考案は、エッジ部材及びそれを用いたテーブル等の天板付き家具に関し、家具の技術分野に属する。
【背景技術】
【０００２】
従来、テーブル等の天板付き家具において、該天板の上面の色彩と床面の色彩とが同系統である場合には、視力にハンディキャップのある者等にとって前記天板と床面との境界を見分けるのが困難であることがある。このため、前記ハンディキャップのある者が食器等を前記天板の上に置いたつもりでも、前記境界の位置を誤認して床面に落下させてしまうという不具合が生じ得る。
【０００３】
また、板状の本体の木口面を装飾したり保護したりするためにエッジ部材で被覆した天板においても、通常は天板本体とエッジ部材とは色彩が同系統とされるため、前述した同様の不具合が生じることになる。
【０００４】
そこで、境界が誤認されないように、例えば特許文献１には、エッジ部材の内縁部に天板本体の色彩とはコントラストのある色彩のアクセント領域を設け、前記エッジ部材の外縁部には天板本体の色彩と同系統の色彩の配色を施した天板付き家具が開示されている。
【０００５】
図７は、このテーブルＡの平面図を示しており、天板Ｂの本体Ｃの四方の木口面は、エッジ部材Ｄで被覆されている。この場合、該エッジ部材Ｄの内縁部Ｄ１の色彩を前記本体Ｃの上面及び床面Ｆの色彩に対してコントラストのある色彩とすると共に、外縁部Ｄ２の色彩を前記本体Ｃの上面及び床面Ｆと同じ色彩としているため、天板Ｂと床面Ｆとの境界を認識することが容易となり、この境界を誤認することがなくなる。
【０００６】
【特許文献１】特許第３１１３８１９号公報
【考案の開示】
【考案が解決しようとする課題】
【０００７】
ところで、前記特許文献１に開示のテーブルＡでは、エッジ部材Ｄの外縁部Ｄ２の色彩が床面Ｆと同系統の色彩であるため、前記テーブルＡを上から見たときに、前記ハンディキャップのある者が床面Ｆと認識する位置に、実際にはエッジ部材Ｄの床面Ｆと同系統の色彩の外縁部Ｄ２が存在することになり、歩行を阻害するおそれがある。
【０００８】
この問題を解決するには、前記特許文献１に別途開示されているように、本体Ｃの木口面に貼着されたエッジ部材Ｄの全体を、本体Ｃの上面とは異なるコントラストのある色彩とすることが考えられるが、その場合は、テーブルＡを横方向から見たときに、エッジ部材Ｄのコントラストのある色彩が目立ち、折角の天板Ｂの持つ色彩感が失われ、つまり、本体Ｃとエッジ部材Ｄとの一体感が失なわれ、デザイン性が損なわれることになる。
【０００９】
そこで、本考案は、板状の天板本体の木口面を被覆するエッジ部材と、それを用いて、視力にハンディキャップのある者が使用する場合にも、天板と床面とを誤認することがなく、しかもデザイン性に優れた天板付き家具を提供することを課題とする。
【課題を解決するための手段】
【００１０】
前記課題を解決するために、本考案は、次のように構成したことを特徴とする。
【００１１】
まず、本願の請求項１に記載の考案は、板状の天板本体の木口面を被覆する帯状のエッジ部材であって、少なくとも一方の側端面が天板本体の色彩に対してコントラストのある色彩とされていると共に、該側端面を除く部分が前記天板本体と同系統又は天板本体とのコントラストが抑えられた色彩とされていることを特徴とする。
【００１２】
次に、本願の請求項２に記載の考案は、請求項１に記載の考案に係るエッジ部材において、両方の側端面がコントラストのある色彩とされていることを特徴とする。
【００１３】
そして、本願の請求項３に記載の考案は、請求項１又は請求項２に記載のエッジ部材が天板本体の木口面に取り付けられてなる天板付き家具に関するものであって、前記エッジ部材が、天板本体の色彩に対してコントラストのある色彩とされた側端面を天板本体の上面と同じ側に向けた状態で該天板本体の木口面に取り付けられていることを特徴とする。
【考案の効果】
【００１４】
以上のように構成したことにより、まず、請求項１に記載の考案によれば、エッジ部材は、少なくとも一方の側端面が天板本体の色彩に対してコントラストのある色彩とされているから、該側端面を天板本体の上面と同じ側に向けた状態で、該天板本体の木口面に取り付けることにより、上から見たときに、天板本体の上面と床面とがエッジ部材の上面、つまりコントラストのある色彩の側端面によって明確に区別して認識されるようになる。しかも、横から見たときには、エッジ部材において天板本体と同系統又は天板本体とのコントラストが抑えられた色彩とされた部分が認識されるので、天板本体とエッジ部材との一体感が失われることはなく、デザイン性に優れる。
【００１５】
次に、請求項２に記載の考案によれば、エッジ部材の両方の側端面がコントラストのある色彩とされているから、エッジ部材を天板本体の木口面に貼着して天板を形成する際に、該エッジ部材の天地を逆にして貼着してもよく、作業性が向上する。
【００１６】
そして、請求項３に記載の考案によれば、前記請求項１又は請求項２に記載の考案によって得られる効果と同様の効果が天板付き家具において得られるようになる。
【考案を実施するための最良の形態】
【００１７】
以下、本考案の実施の形態に係るテーブルについて説明する。
【００１８】
図１及び図２に示すように、このテーブル１は、床面Ｆに載置されて使用されるもので、板状の天板２と一対の板状の足部３，３とを有しており、また、前記天板２の本体１０の四方の木口面に、特徴的なエッジ部材２０が貼着されている。
【００１９】
前記天板本体１０は、無垢材等の木製のものであり、その上面は床面Ｆと同系統の色彩とされている。
【００２０】
一方、図３に示すように、前記エッジ部材２０は、軟質の樹脂製であり、前記天板本体１０の上面と同系統の色彩の本体部２１と、該本体部２１の一方の側端面に設けられて、前記天板本体１０の上面とは異なる色彩のコントラスト部２２とを有している。
【００２１】
そして、図４に示すように、前記エッジ部材２０は、前記コントラスト部２２を前記天板本体１０の上面と同じ側に向けた状態で、接着剤で天板本体１０の木口面に貼着されている。
【００２２】
なお、このような構成のエッジ部材２０の製造には、例えば、生産性に優れた多層同時押出し成形が採用され、押出し成形されたのち、所定の長さに切断されて使用される。
【００２３】
以上のように構成したことにより、エッジ部材２０は、一方の側端面に天板本体１０の色彩に対してコントラストのある色彩とされたコントラスト部２２が設けられているから、テーブル１を上から見たときに、天板本体１０の上面と床面Ｆとがエッジ部材２０の上面、つまりコントラスト部２２によって明確に区別して認識されるようになる。しかも、横から見たときには、エッジ部材２０において天板本体１０と同系統の色彩とされた本体部２１が認識されるので、天板本体１０とエッジ部材２０との一体感が失われることはなく、デザイン性に優れる。
【００２４】
次に、前記エッジ部材２０とは別なる構成のエッジ部材を天板本体１０の木口面に貼着した場合について説明する。
【００２５】
図５及び図６に示すように、このエッジ部材２０′は、同様に軟質の樹脂製であり、前記天板本体１０の上面と同系統の色彩の本体部２１と、該本体部２１の両方の側端面に設けられて、前記天板本体１０の上面とは異なる色彩のコントラスト部２２，２２とを有しており、接着剤で天板本体１０の木口面に貼着されている。なお、この場合にも、エッジ部材２０′の製造には、多層同時押出し成形が採用される。
【００２６】
このような構成によれば、エッジ部材２０′の両方の側端面に天板本体１０の上面の色彩に対してコントラストのある色彩とされたコントラスト部２２，２２が設けられているから、エッジ部材２０′を天板本体１０の木口面に貼着する際に、該エッジ部材２０′の天地を逆にして貼着してもよく、作業性が向上する。
【００２７】
なお、前記実施の形態は、本考案の最良の実施の形態ではあるが、請求の範囲を逸脱しない限り、なお種々の修正・変更が可能であることはいうまでもない。
【００２８】
例えば、本実施の形態では、エッジ部材２０，２０′の本体部２１の色彩を天板本体１０の色彩と同系統の色彩としたが、天板本体１０とのコントラストが抑えられた比較的落ち着いた色彩としてもよい。その場合にも、天板本体１０とエッジ部材２０，２０′との一体感が損なわれることはなく、デザイン性に優れる。
【００２９】
また、天板２の本体１０に無垢材を用いたが、芯材の一方の面または両方の面に表面シートを貼着した構成としてもよい。
【００３０】
また、エッジ部材２０，２０′は、多層同時押出し成形によって本体部２１とコントラスト部２２とが一体に成形されていたが、本体部２１とコントラスト部２２とを別体に製造し、圧着あるいは接着剤で互いに貼着してもよい。
【００３１】
そして、エッジ部材２０，２０′の側端面に天板２の本体１０とは異なる色彩のコントラスト部２２を設けたが、コントラストのある色彩の塗料を側端面に塗布してもよい。
【産業上の利用可能性】
【００３２】
以上のように、本考案によれば、板状の天板本体の木口面を被覆するエッジ部材と、それを用いて、視力にハンディキャップのある者が使用する場合にも、天板と床面とを誤認することがなく、しかもデザイン性に優れた天板付き家具を提供することが可能となる。すなわち、本考案は、エッジ部材及びそれを用いたテーブル等の天板付き家具に関し、家具の技術分野に広く好適である。
【図面の簡単な説明】
【００３３】
【図１】本考案の実施の形態に係るテーブルの斜視図である。
【図２】同じく平面図である。
【図３】図１の天板本体の木口面に取り付けるエッジ部材の斜視図である。
【図４】図２のア−ア線による拡大断面図である。
【図５】両方の側端面にコントラスト部を設けたエッジ部材の斜視図である。
【図６】両方の側端面にコントラスト部を設けたエッジ部材が貼着された天板の断面図である。
【図７】従来のテーブルの平面図である。
【符号の説明】
【００３４】
１            テーブル（天板付き家具）
２            天板
１０          天板本体
２０，２０′  エッジ部材
２１          本体部（側端面を除く部分）
２２          コントラスト部（コントラストのある色彩とされた側端面）
【図１】
0003110139.tif 000003
【図２】
0003110139.tif 000004
【図３】
0003110139.tif 000005
【図４】
0003110139.tif 000006
【図５】
0003110139.tif 000007
【図６】
0003110139.tif 000008
【図７】
0003110139.tif 000009